(57)【特許請求の範囲】
【請求項１】
媒体基材の印刷した地紋模様を有する真偽品判別領域の上に、見る角度によって色彩が変化する色彩可変印刷層を設け、さらに該色彩可変印刷層の上に、赤外線の照射により可視光蛍光発光する光反応印刷層をパターン状に設けた、ことを特徴とする真偽判定可能な偽造防止印刷媒体。
【請求項２】
前記地紋模様が色彩可変印刷層を通して視認可能であることを特徴とする請求項１記載の真偽判定可能な偽造防止印刷媒体。
【請求項３】
光反応印刷層のパターンが視覚的には見えない１次元または２次元バーコードの形状であることを特徴とする請求項１または請求項２記載の真偽判定可能な偽造防止印刷媒体。
【請求項４】
光反応印刷層のパターンが、感熱転写リボンより可変情報を印字して形成されたものであることを特徴とする請求項１または請求項２記載の真偽判定可能な偽造防止印刷媒体。
【請求項５】
媒体基材の印刷した地紋模様を有する真偽品判別領域の上に、見る角度によって色彩が変化する色彩可変印刷層を設け、さらに該色彩可変印刷層の上に、赤外線の照射により可視光蛍光発光する光反応印刷層をパターン状に設けた印刷媒体に、赤外線を照射して光反応印刷層部分を可視光蛍光発光させ、目視または機械認識により真偽判定することを特徴とする印刷媒体の真偽判定方法。
【請求項６】
光反応印刷層のパターンが視覚的には見えない１次元または２次元バーコードの形状であることを特徴とする請求項５記載の印刷媒体の真偽判定方法。
【発明の詳細な説明】
【０００１】
【発明の属する技術分野】
本発明は、免許証、クレジットカード等のＩＤ証、商品券、証券等の金券類の偽造防止および真偽判定を目的とし、印刷基材へ見る角度により色変化する色彩可変印刷層（パール印刷等）を設けておき、前記色彩可変印刷層上に基材の色調と同調するように紫外線または赤外線照射により蛍光発光するパターン状の光反応印刷層を設けておくことで、外観上は色彩可変インキのパターン印刷に見えるが、励起光の照射により光反応印刷層が可視光発光し、目視または機械認識による真偽判定が可能となる偽造防止印刷媒体と真偽判定方法に関する。
本発明の利用分野は、免許証、クレジット・キャッシュカード等のＩＤ証、商品券、ギフト券、証券、株券等の金券類、各種証明書類、各種チケット類等である。
【０００２】
【従来技術】
従来より、この種の金券類等の偽造防止を図るために、見る角度によって色彩が変化する色彩可変印刷層を設ける偽造防止技術が行われている。
このような色彩可変印刷層は、例えばパールインキなどのように、見る角度によって色が変化する色彩変化インキで印刷して形成されている。色彩が変化するインキは、光を多重反射する顔料を含んでおり、その顔料で反射した光の干渉によって、色が変化して見える。そのため、色変化効果は、顔料で反射する光が多いほど色彩変化効果が大きい。そこで、光が多重反射する顔料の数が多くなるように、色彩可変印刷層は、その厚みが厚くなるようにスクリーン印刷などの孔版印刷や、グラビア印刷などの凹版印刷で印刷されることが多い。
しかし、色彩可変印刷層は、グラビア印刷、コーティング又はスクリーン印刷で印刷されることが多いため、製造コストが高くなる問題があった。
【０００３】
かかる問題を解決するため、例えば、特開平2000−6564号公報は、商品券、株券等の印刷媒体へパール印刷等の色彩可変印刷層を設け、その色彩可変印刷層の一部をパターン状に目視不能に隠蔽し、特定情報を形成した偽造防止印刷媒体を提案している。この印刷媒体では媒体基材の色調と特定情報の色調が同調して見える特徴がある。
しかし、パールインキ自体は容易に入手可能であり、パールインキを入手できれば、通常の印刷メーカーであれば、マット調のインキをその上に印刷することで、類似の印刷物を作ることは可能である。
【０００４】
【発明が解決しようとする課題】
そこで、本発明では色彩可変印刷層に対して、さらに紫外線または赤外線照射により蛍光発光する光反応印刷層を付加することにより偽造防止効果を一層向上させ得ることに着目し本発明の完成に至ったものである。
【０００５】
【課題を解決するための手段】
上記課題を解決するための本発明の要旨の第１は、媒体基材の印刷した地紋模様を有する真偽品判別領域の上に、見る角度によって色彩が変化する色彩可変印刷層を設け、さらに該色彩可変印刷層の上に、赤外線の照射により可視光蛍光発光する光反応印刷層をパターン状に設けた、ことを特徴とする真偽判定可能な偽造防止印刷媒体、にある。かかる偽造防止印刷媒体であるため、偽造印刷媒体を容易に検出できる。
【０００６】
上記課題を解決するための本発明の要旨の第２は、媒体基材の印刷した地紋模様を有する真偽品判別領域の上に、見る角度によって色彩が変化する色彩可変印刷層を設け、さらに該色彩可変印刷層の上に、赤外線の照射により可視光蛍光発光する光反応印刷層をパターン状に設けた印刷媒体に、赤外線を照射して光反応印刷層部分を可視光蛍光発光させ、目視または機械認識により真偽判定することを特徴とする印刷媒体の真偽判定方法、にある。かかる真偽判定方法であるため、偽造印刷媒体を容易に検出できる。
【０００７】
【発明の実施の形態】
以下、図面等を参照して、本発明の実施の形態について、さらに詳しく説明する。図１は、本発明による偽造防止印刷媒体の実施形態を示した図である。図中、（Ａ）は正面図、（Ｂ）は（Ａ）のＡ−Ａ線における断面図であるが、厚み方向の縮尺は拡大されている。
本実施形態では、本発明による偽造防止印刷媒体１０を商品券として使用する場合について説明する。
【０００８】
偽造防止印刷媒体１０は、媒体基材１１上に商品券としての通常の表示印刷部と真偽品判別領域１１ａとを備えている。真偽品判別領域１１ａには、色彩可変印刷層１２と、光反応印刷層１３とを有する。
媒体基材１１は、この偽造防止印刷媒体１０の担体となる基材である。媒体基材１１は、その材料として、例えば、上質紙、ＯＣＲ紙、ノーカーボン紙、アート紙などの紙、塩化ビニル、ポリエステル、ＰＥＴ、ポリプロピレン、セロファン、アセテート、ポリカーボネート、アクリルなどのプラスチックフィルム等が好適に用いられる。
媒体基材１１は、その表面の一部に、真偽品判別領域１１ａを備えて、他の部分には、商品券である旨の標題１１ｂ、商品券金額１１ｃ、発行会社名１１ｄ、地紋模様１１ｅなどが印刷されている。
真偽品判別領域１１ａは図示のようにストライプ状であることに限られず、円形であっても楕円形であってもよく、また、券面全体が真偽品判別領域１１ａであっても良い。
【０００９】
色彩可変印刷層１２は、真偽品判別領域１１ａの上に設けられた印刷層であり、見る角度によって色が変化する。色彩可変印刷層１２は、色彩変化インキで印刷されている。色彩変化インキは、例えば、透明なビヒクル中に、高屈折率の酸化ケイ素、酸化チタン、酸化鉄などの層と、低屈折率のマイカ等の層を積層した顔料を分散したものが使用できる。
具体例を挙げると、資生堂製の商品名；インフィニットカラーや、メルク社（独国）製の商品名；イリオジン等のパールインキなどである。色彩可変印刷層１２は、そのような色彩可変インキをグラビア印刷、コーティング又は孔版印刷などで印刷または塗工するとよい。色彩可変印刷層１２が厚くなるので、色彩変化効果が大きくなるからである。
【００１０】
光反応印刷層１３は、色彩可変印刷層１２の上に重畳してパターン状に印刷された層である。すなわち、光反応印刷層１３は、色彩可変印刷層が視認できるとともに、紫外線または赤外線を照射した場合は重畳して印刷されている光反応印刷層１３が発光するため、色彩可変印刷層の中に光反応印刷層の発光パターンを視認することができる。
真偽品判別領域１１ａには、通常の印刷インキによる地紋模様１１ｅなどが印刷されていることも構わない。従って、この場合は色彩可変印刷層を通して地紋模様を視認できる。
【００１１】
本実施形態では、光反応印刷層１３は、真偽品判別情報として「発行会社」の社名と額面である「壱千円」が光反応印刷層１３により印刷されているので、目視により視認または機械認識できる。
光反応印刷層１３により印刷する情報パターンは、（１）社名、社名ロゴ等の固定情報、（２）ＩＤ情報、発行日／有効期限、ナンバリング等の可変情報、がある。
機械認識可能な情報パターンとしては、文字、数字、アルファベッド、マーク、高精彩画像やマイクロ文字等のランダムパターン、バーコード（１次元２次元）等がある。
【００１２】
図２は、本発明による偽造防止印刷媒体にかかる色彩可変印刷層を示す図である。色彩可変印刷層１２は、透明な媒体１２ｂ中に高屈折率層と低屈折率層を積層した顔料１２ａを分散した色彩可変インキによって形成されている。
入射光は、図２（Ａ）に示すように、顔料１２ａによって反射して、第１の角度α方向に出射するとともに、顔料１２ａを高屈折率で透過したのちに、媒体基材１１の表面で反射して、第２の角度β方向に出射する。
【００１３】
このときに、顔料１２ａの反射光と透過光の関係は、図２（Ｂ）に示したように、その顔料１２ａの厚さによって、可視光線の波長のいずれかが干渉して、以下のような組み合わせとなる。
0004712990.tif 000002
【００１４】
したがって、例えば、色彩可変印刷層１２は、第１の角度αで金色に見えた場合には、第２の角度βでは紫色に見えることになる。
【００１５】
次に、光反応印刷層について説明する。光反応印刷層は紫外線または赤外線の照射により蛍光発光する蛍光剤からなる層であり、その励起光と蛍光波長領域とにより、次の３種類がある。
（１）赤外線励起可視光蛍光発光タイプ、（２）赤外線励起赤外光蛍光発光タイプ、（３）紫外線励起可視光蛍光発光タイプ
【００１６】
（１）赤外線励起可視光蛍光発光タイプ
赤外光（約８００〜約１２００ｎｍ）で励起し可視光（約４００〜約８００ｎｍ）を発光する蛍光剤をいう。
このタイプの具体例としてはＹＦ3 ：Ｙｂ＋Ｅｒ、ＹＦ3 ：Ｙｂ＋Ｔｍ、ＢａＦＣｌ：Ｙｂ＋Ｅｒなどがある。なお、赤外線発光蛍光剤は通常その組成を、主成分である母体結晶とその中に分散した付活剤または発光中心に分け、（：）で繋いで表記する。
特に、この光反応印刷層を赤外線により励起し可視光発光する材料を使用する場合は、材料の入手が難しく、通常蛍光材料として入手可能な紫外線発光型と比較してセキュリティー性を向上できる。
【００１７】
（２）赤外線励起赤外光蛍光発光タイプ
赤外光（約８００〜約９００ｎｍ）で励起しより長波長（約９８０〜約１０２０ｎｍ）で発光する蛍光剤をいう。
このタイプの具体例としてはその組成が、ＬｉＮｄ0.9 Ｙｂ0.1 Ｐ4 Ｏ12、ＬｉＢｉ0.2 Ｎｄ0.7 Ｙｂ0.1 Ｐ4 Ｏ12、Ｎｄ0.9 Ｙｂ0.1 Ｎｄ5 （ＭｏＯ4 ）4 、ＮａＮｄ0.9 Ｙｂ0.1 Ｐ4 Ｏ12、Ｎｄ0.8 Ｙｂ0.2 Ｎａ5 （ＷＯ4 ）4 、Ｎｄ0.8 Ｙｂ0.2 Ｎａ5 （Ｍｏ0.5 Ｗ0.5 Ｏ4 )4、Ｃｅ0.05Ｇｄ0.05Ｎｄ0.75Ｙｂ0.15Ｎａ5 （Ｗ0.7 Ｍｏ0.3 Ｏ4 ）4 、Ｎｄ0.9 Ｙｂ0.1 Ａｌ3 （ＢＯ3 ）4 、Ｎｄ0.9 Ｙｂ0.1 Ａｌ2.7 Ｃｒ0.3 （ＢＯ3 ）4 、Ｎｄ0.6 Ｙｂ0.4 Ｐ5 Ｏ14Ｎｄ0.8 Ｙｂ0.2 Ｋ3 （ＰＯ4 ）2 等がある。
【００１８】
（３）紫外線励起可視光蛍光発光タイプ
紫外線により励起され、これよりも低いエネルギー準位に戻るときに発するスペクトルのピークが青、緑、赤等の波長域にあるものであり、硫化亜鉛やアルカリ土類金属の硫化物などの高純度蛍光体に発光をより強くするために微量の金属（銅、銀、マンガン、ビスマス、鉛）を付活剤として加え高温焼成して得られる。具体例としては、Ｃａ2 Ｂ5 Ｏ9 Ｃｌ：Ｅｕ2+、ＣａＷＯ4 、ＺｎＯ：Ｚｎ、Ｚｎ2 ＳｉＯ4 ：Ｍｎ、Ｙ2 Ｏ2 Ｓ：Ｅｕ、ＺｎＳ：Ａｇ、ＹＶＯ4 ：Ｅｕ、Ｙ2 Ｏ3 ：Ｅｕ、Ｇｄ2 Ｏ2 Ｓ：Ｔｂ、Ｌａ2 Ｏ2 Ｓ：Ｔｂ、Ｙ3 Ａｌ5 Ｏ12：Ｃｅ、Ｓｒ 5（ＰＯ 4）3 Ｃｌ：Ｅｕ、３（Ｂａ，Ｍｇ）Ｏ・８Ａｌ2 Ｏ3 ：Ｅｕ、Ｚｎ2 ＧｅＯ4 ：Ｍｎ、Ｙ（Ｐ，Ｖ）Ｏ4 ：Ｅｕ、０．５ＭｇＦ2 ・３．５ＭｇＯ・ＧｅＯ2 ：Ｍｎ、ＺｎＳ：Ｃｕ、ＺｎＳ：Ｍｎなどがあり、これらを単体、又はこれらから数種類を任意に選択して混合して使用する。これらの蛍光スペクトルはピークを青、緑、赤等の波長域以外に持つものであり、所望の蛍光スペクトルに応じて適宜選択することができる。
【００１９】
なお、紫外線発光蛍光剤は、紫外線の短波長域（約２００〜３００ｎｍ、とくに好ましくは２５４ｎｍ）により発光する短波長紫外線発光蛍光剤と、長波長域（約３００〜４００ｎｍ、とくに好ましくは３６５ｎｍ）により発光する長波長紫外線発光蛍光剤がある。
【００２０】
光反応印刷層１３は、上記の蛍光剤を印刷インキ化して、グラビア印刷法、オフセット印刷法、スクリーン印刷法などの各種印刷法で印刷することができる。
印刷インキに使用するバインダー樹脂としては特に限定されることはなく、例えばアクリル樹脂、塩化ビニル−酢酸ビニル共重合系樹脂などを使用できる。溶剤も特に限定されることはなく、メチルエチルケトン、トルエンなどそれらから任意に選択し適宜用いることができる。
あるいはまた光反応印刷層１３は、上記の蛍光剤をワックス等に分散して熱溶融性転写リボンの熱転写層中に使用することにより、感熱転写リボンとしてこれにより偽造防止印刷媒体に印字することができる。この場合は、サーマルヘッドにより選択的に熱信号を与えることにより可変情報を印字することができる。
感熱転写リボンを使用する場合は、商品券等の発行時点で可変情報（ＩＤ情報、日付、ナンバリング等）の記録が可能となり、セキュリティー性が一層向上する。
【００２１】
（作成方法）
図３は、本発明による偽造防止印刷媒体の実施形態の作製方法を説明する図である。偽造防止印刷媒体は、以下のように作製する。
（１）媒体基材１１の所定領域に、色彩可変印刷層１２を印刷して、印刷媒体原反１０ａを作製する（図３（Ａ））。この際、汎用的な地紋印刷等は予めほどこされていてもよいものとする。
なお、色彩可変印刷層１２は、上述の通り、色彩変化効率を大きくするために、色彩変化インキをスクリーン印刷またはグラビア等の凹版印刷で印刷する。
【００２２】
（２）（１）で作製された印刷媒体原反１０ａに、商品券である旨の標題１１ｂ、商品券金額１１ｃ、発行会社名１１ｄ、地紋模様１１ｅをオフセット印刷で印刷する（図３（Ｂ））。
（３）色彩可変印刷層１２上に、「発行会社名」と「壱千円」の文字を、光反応印刷インキを用いてオフセット印刷で印刷する（図３（Ｃ））。
（４）以上で、「発行会社名」と「壱千円」の文字等の色が蛍光発光する偽造防止印刷媒体１０が完成する。
【００２３】
本実施形態によれば、以下の効果がある。
（１）媒体基材１１上に色彩変化印刷層１２を印刷して、汎用性のある印刷媒体原反１０ａを予め作製するので、同一の印刷媒体原反１０ａが大量に製造できるため、量産効果による原価低減を図ることができる。
（２）色彩変化印刷層１２は、スクリーン印刷または凹版印刷等で印刷されるので、色彩変化効果が大きいため、アイキャッチ効果を高めることができる。
（３）色彩変化印刷層１２は、色彩が変化するので、簡単に偽造品の判別をすることができる。すなわち、万一、カラーコピー機などにより、外観を複写されても、この色変化効果はなないので、偽造が困難であるととともに、特別な判別装置を用いることなく偽造品の判別をすることができる。
【００２４】
（４）光反応印刷層１３は、オフセット印刷で印刷するので、小規模の生産にも適するとともに、安価に製造することができる。
（５）光反応印刷層１３は、紫外線又は赤外線で特有の蛍光を発するので、他の製品と容易に区別することができる。
【００２５】
（蛍光バーコードの読取方法）
偽造防止印刷媒体には、前記のように、文字、数字、アルファベッド、マーク等のランダムパターン、バーコード（１次元２次元）等を印字することができる。バーコードを蛍光材料による光反応印刷層で設ける場合は、視覚により認識する黒色のバーコードに比較して印刷媒体のイメージや雰囲気を損なうという問題が少ない。逆に視覚的には「見えない」か「見えにくい」バーコードを機械的に読み取って利用できる利点が生じる。
【００２６】
図４は、光反応印刷層によるバーコードを示す図、図５は、従来の白黒バーコードを示す図である。
図４のように、全体としては、視覚的には見えないバーコードであるが、点線で囲った内側には、蛍光体物質を含んだバーエレメント１ａで構成され、点線で囲まれない部分は、蛍光体物質を含まないバーエレメント１ｂで構成されている。蛍光体物質に薄色の着色料を含ませるか、色彩変化印刷層を背景とすることにより視認可能であるが「見えにくい」バーコードとすることができる。
いずれの場合も、図５のような白黒バーコードと比較して、バーコードを意識させないことやデザインを損なわない利点がある。
【００２７】
図６は、光反応印刷層によるバーコードを読み取る読取装置の説明図である。
偽造防止印刷媒体１０の蛍光バーコードを読み取るためには、偽造防止印刷媒体１０の蛍光物質を含んだバーエレメント１ａと含まないバーエレメント１ｂ上を蛍光バーコード読取装置２０を走査して読み取りを行う。
蛍光体物質の励起光源７をスリット６を介して蛍光バーコード１ａ，１ｂに照射して蛍光を光ガイド８により導き、蛍光を選択的に透過する光学フィルター９を透過させた後、蛍光を検出する光検出器３で検出してデータ処理装置４で、データ処理を行う。
【００２８】
【発明の効果】
以上詳しく説明したように本発明によれば以下の効果が得られる。
請求項１の発明によれば、媒体基材上に、色彩可変印刷層を設け、その上に色彩可変印刷層を隠蔽する形で光反応印刷層を形成しておくことで、他の製品と容易に区別することができる。特に光反応印刷層の情報パターンを高精彩画像やマイクロ文字等によって複雑にしておくことで偽造防止効果を向上できる。
請求項２の発明によれば、特に光反応印刷層を赤外線により励起し可視光発光する材料を使用することで、前記材料は入手が難しく、通常蛍光材料として入手可能な紫外線発光型と比較してもセキュリティー性を向上できる。
特に、機械認識であれば、赤外線により赤外発光する材料の使用もセキュリティー性が高い。また、これらの材料を併用使用してもよい。
【００２９】
請求項３の発明によれば、光反応層による情報形成パターンがバーコード（１次元または２次元）としておくことで、形成可能な情報量が増大し、偽造防止効果が増大する。
請求項４の発明によれば、光反応印刷層のパターンを感熱インクリボンによる熱転写等により形成することで、可変情報（ＩＤ情報、日付、ナンバリング等）の記録が可能となり、セキュリティー性が向上する。
【００３０】
請求項５以下の真偽判定方法の発明によれば、類似品が出た場合に、光反応印刷層を形成しておくことで、ビュアーもしくは専用リーダーにより紫外線または赤外線を照射することにより、光反応印刷層部分を蛍光発光させ、目視または機械認識により真偽判定が可能となる。
【図面の簡単な説明】
【図１】  本発明による偽造防止印刷媒体の実施形態を示した図である。
【図２】  本発明による偽造防止印刷媒体にかかる色彩可変印刷層を示す図である。
【図３】  本発明による偽造防止印刷媒体の実施形態の作製方法を説明する図である。
【図４】  光反応印刷層によるバーコードを示す図である。
【図５】  従来の白黒バーコードを示す図である。
【図６】  光反応印刷層によるバーコードを読み取る読取装置の説明図である。
【符号の説明】
１ａ  蛍光体物質を含んだバーエレメント
１ｂ  蛍光体物質を含まないバーエレメント
２ａ  従来の黒バーエレメント
２ｂ  従来の白バーエレメント
３    蛍光を検出する光検出器
４    データ処理装置
６    スリット
７    蛍光体物質の励起光源
８    光ガイド
９    光学フィルター
１０    偽造防止印刷媒体
１０ａ  印刷媒体原反
１１    媒体基材
１１ａ  真偽品判別領域
１１ｂ  標題
１１ｃ  商品券金額
１１ｄ  発行会社名
１１ｅ  地紋模様
１２    色彩変化印刷層
１３    光反応印刷層
２０    蛍光バーコード読取装置
【図１】
0004712990.tif 000003
【図２】
0004712990.tif 000004
【図３】
0004712990.tif 000005
【図４】
0004712990.tif 000006
【図５】
0004712990.tif 000007
【図６】
0004712990.tif 000008